(57)【要約】【課題】折りたたみ可能なハンドルを備えたエアポンプ１００を提供する。【解決手段】エアポンプ本体１と係止リング６０とハンドル７０とを含み、エアポンプ本体１は第１結合部１４を有し、係止リング６０はエアポンプ本体１に設置し、第２結合部６１と第１接合部６２を有し、外力の作用を受けることができ、エアポンプ本体１に沿って往復摺動移動し、ハンドル７０は第２接合部７４を有し、外力の作用を受けることができ、エアポンプ体本体１の軸方向に沿って伸長位置から短縮位置までの間を往復移動し、またエアポンプ本体１に収納位置から使用位置までの間に往復回動可能に枢支され、ハンドル７０が収納位置にあるときは、係止リング６０の第２結合部６１はエアポンプ本体１の第１結合部１４と結合し、ハンドル７０が使用位置にあるときは、係止リング６０の第１接合部６２は、ハンドル７０の第２接合部７４と結合することを特徴とする。【選択図】図１
2014080867.tif 000002
【特許請求の範囲】
【請求項１】
エアポンプ本体と、係止リングと、ハンドルとを含み、
該エアポンプ本体は、第１結合部を有し、
該係止リングは、該エアポンプ本体に設置し、第２結合部と第１接合部を有し、外力の作用を受けることができ、該エアポンプ本体に沿って往復摺動移動し、
該ハンドルは、該エアポンプ本体に枢設され、かつ、第２接合部を有し、外力の作用を受けることができ、該エアポンプ体本体の軸方向に沿って、伸長位置から短縮位置までの間を往復移動し、また該エアポンプ本体に収納位置から使用位置までの間に往復回動可能に枢支され、
該ハンドルが収納位置にあるときは、該係止リングの第２結合部は該エアポンプ本体の第１結合部と結合し、該ハンドルが使用位置にあるときは、該係止リングの第１接合部は、該ハンドルの第２接合部と結合することを特徴とする、折りたたみ可能なハンドルを備えたエアポンプ。
【請求項２】
該折りたたみ可能なハンドルを備えたエアポンプは、さらにラッチを含み、
該エアポンプ本体は、シリンダーとピストンユニットを有し、
該シリンダーは、ピストン空間と、該ピストン空間と外界を連通する吐出口と、該ピストン空間と外界を連通するピストン口を有し、該ピストン口の周壁部に該第１結合部を備え、
該ピストンユニットは、該ピストン空間内に位置するピストンヘッドと、該ピストンヘッドの一端と連接し、かつ、該ピストン口から伸出するピストンロッドとを有し、該ピストンヘッドは外力の作用を受けることができ、該ピストン空間において往復直線運動を行い、該ピストンロッドは差込口を有し、
該係止リングは、該ピストンロッドに嵌装され、かつ、外力の作用を受けることができ、該ピストンロッドに沿って往復摺動移動し、
該ハンドルはハンドル本体を備え、該ハンドル本体内部は軸方向に軸穴を有し、該ハンドル本体は、片側に該軸穴と該ハンドル本体の一端が連通する枢支溝を有すると共に、該第２接合部を有し、該ハンドルの軸穴内に該ピストンユニットのピストンロッドを穿入し、
該ラッチは、該ピストンロッドの差込口に差し込まれ、かつ、該ラッチの両端は該差込口の外に突出し、該軸穴に配設され、
該ハンドルは、該ラッチを軸心として、該収納位置から該使用位置までの間に往復回動可能に枢支されることを特徴とする、請求項１に記載の折りたたみ可能なハンドルを備えたエアポンプ。
【請求項３】
該折りたたみ可能なハンドルを備えたエアポンプは、さらにエアホースと口金を含み、該エアホースは、一端が該エアポンプ本体のシリンダーの吐出口と連結し、他端が該口金と連結することを特徴とする、請求項２に記載の折りたたみ可能なハンドルを備えたエアポンプ。
【請求項４】
該折りたたみ可能なハンドルを備えたエアポンプは、さらに台座を含み、該台座は、該エアポンプ本体に枢接され、外力の作用を受けることができ、相対する該エアポンプ本体に枢支されることを特徴とする、請求項１に記載の折りたたみ可能なハンドルを備えたエアポンプ。
【請求項５】
該折りたたみ可能なハンドルを備えたエアポンプは、該ハンドルが短縮位置にあるとき、該係止リングの第２結合部は、該エアポンプ本体の第１結合部に結合することを特徴とする、請求項１に記載の折りたたみ可能なハンドルを備えたエアポンプ。
【請求項６】
該折りたたみ可能なハンドルを備えたエアポンプは、さらにキャップを含み、該キャップは、該ハンドルの該枢支溝に連通していない一端に封止され、該ハンドルの軸穴中段内壁の凸部には、係止凸縁部が伸設され、該ラッチは、該キャップから該係止凸縁部間の軸穴内で摺動移動することができることを特徴とする、請求項２に記載の折りたたみ可能なハンドルを備えたエアポンプ。
【請求項７】
該キャップはキャップ本体と差込固定具を有し、該キャップ本体は該ハンドルを塞いで嵌め込まれ、かつ、該差込固定具によって該キャップ本体と該ハンドルは固定されることを特徴とする、請求項６に記載の折りたたみ可能なハンドルを備えたエアポンプ。
【請求項８】
該エアポンプ本体の第１結合部はめねじであり、該係止リングの第２結合部はおねじであることを特徴とする、請求項１に記載の折りたたみ可能なハンドルを備えたエアポンプ。
【請求項９】
該係止リングの第１接合部はめねじであり、該ハンドルの第２接合部はおねじであることを特徴とする、請求項１に記載の折りたたみ可能なハンドルを備えたエアポンプ。
【請求項１０】
該折りたたみ可能なハンドルを備えたエアポンプは、さらにラッチを含み、
該エアポンプ本体は、シリンダーとピストンユニットを有し、
該シリンダーは、ピストン空間と、該ピストン空間と外界を連通する吐出口と、該ピストン空間と外界を連通するピストン口を有し、該ピストン口の周壁部に該第１結合部を備え、
該ピストンユニットは、該ピストン空間内に位置するピストンヘッドと、該ピストンヘッドの一端と連接し、かつ、該ピストン口から伸出するピストンロッドを有し、該ピストンヘッドは外力の作用を受けることができ、該ピストン空間において往復直線運動を行い、該ピストンロッドは差込口を有し、
係止リングは、該ピストンロッドに嵌装され、かつ、外力の作用を受けることができ、該ピストンロッドに沿って往復摺動移動し、
該ハンドルはハンドル本体と嵌着筒を有し、該ハンドル本体内部の軸方向に軸穴を有し、該ハンドル本体の片側に該軸穴と該ハンドル本体の一端を連通する枢支溝を有し、該エアポンプ本体のピストンロッドは該ハンドル本体の軸穴内に穿入し、該嵌着筒は該ピストンロッドに嵌着され、該嵌着筒は、該差込口と連通する嵌着穴と該第２接合部を有し、
該ラッチは該エアポンプ本体のピストンロッド差込口と該嵌着筒の嵌着穴に差し込まれ、かつ、該ラッチの両端は該差込口と嵌着穴の外に突出し、該軸穴に配設され、該ハンドルは、該ラッチを軸心として、該収納位置から該使用位置までの間に往復回動可能に枢支されることを特徴とする、請求項１に記載の折りたたみ可能なハンドルを備えたエアポンプ。
【請求項１１】
該折りたたみ可能なハンドルを備えたエアポンプは、さらにラッチを含み、
該エアポンプ本体は、シリンダー及びピストンユニットを有し、
該シリンダーは、ピストン空間と、該ピストン空間と外界を連通する吐出口と、該ピストン空間と外界を連通するピストン口を有し、該ピストン口の周壁部に該第１結合部を備え、
該ピストンユニットは、該ピストン空間内に位置するピストンヘッドと、該ピストンヘッドの一端と連接し、かつ、該ピストン口から伸出するピストンロッドを有し、該ピストンヘッドは外力の作用を受けることができ、該ピストン空間において往復直線運動を行い、該ピストンロッドは差込口と差込穴を有し、
該係止リングは、該ピストンロッドに嵌装され、かつ、外力の作用を受けることができ、該ピストンロッドに沿って往復摺動移動し、
該ハンドル内部は軸方向に軸穴を有し、該ハンドルの片側は該軸穴と該ハンドルの一端を連通する枢支溝を有し、該ピストンユニットのピストンロッドは、該ハンドルの軸穴内に穿入し、
該ラッチは、該ピストンロッドの差込口に差し込まれ、かつ、該ラッチの両端は該差込口の外に突出し、該軸穴に配設され、
該ハンドルは、該ラッチを軸心として、該収納位置から該使用位置までの間に往復回動可能に枢支されることを特徴とする、請求項１に記載の折りたたみ可能なハンドルを備えたエアポンプ。
【請求項１２】
該エアポンプ本体は、さらに結合ピンを有し、該係止リングの第１接合部は径方向に貫通するスルーホールであり、該ハンドルの第２接合部は径方向に貫通する貫通穴であり、該結合ピンは該ピストンロッドの差込穴、係止リングの第１接合部及び該ハンドルの第２接合部に穿入し、連結することを特徴とする、請求項１１に記載の折りたたみ可能なハンドルを備えたエアポンプ。
【発明の詳細な説明】
【技術分野】
【０００１】
本発明は、エアポンプに関し、より詳細には、ハンドルを折りたたんで収納できる、折りたたみ可能なハンドルを備えたエアポンプに関する。
【背景技術】
【０００２】
従来のエアポンプは、シリンダー内におけるピストンロッドの往復移動を利用し、気体を圧縮して送り出すものである。使用者が空気を入れやすいように、通常、該ピストンロッドがシリンダーの外に突出した一端に、横向きを呈して垂直に連接された把手が設けられており、該把手を使用者が把持することによって、使用者に適切な力で付勢する方法を提供することができる。しかしながら、把手が横向き垂直に連接されたエアポンプを採用するため、その幅は把手によって明らかに増大する。このため、携帯時にも収納時にも大きく場所を取り、使用上の利便性に欠けるという問題があった。
【０００３】
このため、現在市場には、ハンドルを折りたたんで収納できるエアポンプが出回っており、これは把手を枢支させることができ、不使用時には該把手軸を折りたたみ、該ピストンロッドと同一の軸方向を呈することによって、携帯時の全体の幅を減少させ、携帯時の利便性を向上させることができるものである。しかし、このような把手を折りたたむことのできるエアポンプは、把手が該ピストンロッドと枢接する位置でしか枢支できないため、該把手軸を折りたたんで該ピストンロッドと同一の軸方向を呈するときに横方向の幅を減少させることができたとしても、把手を折りたたんで収納した後、全体の軸方向の長さが増大してしまい、依然として携帯上でも使用上でも利便性に欠けるといった問題があった。
【先行技術文献】
【特許文献】
【０００４】
【特許文献１】なし
【発明の概要】
【発明が解決しようとする課題】
【０００５】
そこで、本発明は、上記のような従来技術の問題点に鑑みて、収納時に該ハンドルを折りたたんで没入させることによって、全体の幅と長さを減少させることができる、折りたたみ可能なハンドルを備えたエアポンプを提供することを目的とするものである。
【課題を解決するための手段】
【０００６】
上記課題を解決するために、本発明の折りたたみ可能なハンドルを備えたエアポンプは、エアポンプ本体と、係止リングと、ハンドルとを含み、該エアポンプ本体は、第１結合部を有し、該係止リングは、該エアポンプ本体に設置し、第２結合部と第１接合部を有し、外力の作用を受けることができ、該エアポンプ本体に沿って往復摺動移動し、該ハンドルは、該エアポンプ本体に枢設され、かつ、第２接合部を有し、外力の作用を受けることができ、該エアポンプ体本体の軸方向に沿って、伸長位置から短縮位置までの間を往復移動し、また、該エアポンプ本体に対して収納位置から使用位置までの間に往復回動可能に枢支され、該ハンドルが収納位置にあるときは、該係止リングの第２結合部は該エアポンプ本体の第１結合部と結合し、該ハンドルが使用位置にあるときは、該係止リングの第１接合部は、該ハンドルの第２接合部と結合することを特徴とする。
【０００７】
また、該折りたたみ可能なハンドルを備えたエアポンプは、さらにラッチを含み、該エアポンプ本体は、シリンダーとピストンユニットを有し、該シリンダーは、ピストン空間と、該ピストン空間と外界を連通する吐出口と、該ピストン空間と外界を連通するピストン口を有し、該ピストン口の周壁部に該第１結合部を備え、該ピストンユニットは、該ピストン空間内に位置するピストンヘッドと、該ピストンヘッドの一端と連接し、かつ、該ピストン口から伸出するピストンロッドとを有し、該ピストンヘッドは外力の作用を受けることができ、該ピストン空間において往復直線運動を行い、該ピストンロッドは差込口を有し、該係止リングは、該ピストンロッドに嵌装され、かつ、外力の作用を受けることができ、該ピストンロッドに沿って往復摺動移動し、該ハンドルはハンドル本体を備え、該ハンドル本体内部は軸方向に軸穴を有し、該ハンドル本体は、片側に該軸穴と該ハンドル本体の一端が連通する枢支溝を有すると共に、該第２接合部を有し、該ハンドルの軸穴内に該ピストンユニットのピストンロッドを穿入し、該ラッチは、該ピストンロッドの差込口に差し込まれ、かつ、該ラッチの両端は該差込口の外に突出し、該軸穴に配設され、該ハンドルは、該ラッチを軸心として、該収納位置から該使用位置までの間に往復回動可能に枢支されることを特徴とする。
【０００８】
また、該折りたたみ可能なハンドルを備えたエアポンプは、さらにエアホースと口金を含み、該エアホースは、一端が該エアポンプ本体のシリンダーの吐出口と連結し、他端が該口金と連結することを特徴とする。
【０００９】
また、該折りたたみ可能なハンドルを備えたエアポンプは、さらに台座を含み、該台座は、該エアポンプ本体に枢接され、外力の作用を受けることができ、相対する該エアポンプ本体に枢支されることを特徴とする。
【００１０】
また、該折りたたみ可能なハンドルを備えたエアポンプは、該ハンドルが短縮位置にあるとき、該係止リングの第２結合部は、該エアポンプ本体の第１結合部に結合することを特徴とする。
【００１１】
また、該折りたたみ可能なハンドルを備えたエアポンプは、さらにキャップを含み、該キャップは、該ハンドルの該枢支溝に連通していない一端に封止され、該ハンドルの軸穴中段内壁の凸部には、係止凸縁部が伸設され、該ラッチは、該キャップから該係止凸縁部間の軸穴内で摺動移動することができることを特徴とする。
【００１２】
また、該キャップはキャップ本体と差込固定具を有し、該キャップ本体は該ハンドルを塞いで嵌め込まれ、かつ、該差込固定具によって該キャップ本体と該ハンドルは固定されることを特徴とする。
【００１３】
また、該エアポンプ本体の第１結合部はめねじであり、該係止リングの第２結合部はおねじであるであることが好ましい。
【００１４】
また、該係止リングの第１接合部はめねじであり、該ハンドルの第２接合部はおねじであることが好ましい。
【００１５】
さらに、該折りたたみ可能なハンドルを備えたエアポンプは、さらにラッチを含み、該エアポンプ本体は、シリンダーとピストンユニットを有し、該シリンダーは、ピストン空間と、該ピストン空間と外界を連通する吐出口と、該ピストン空間と外界を連通するピストン口を有し、該ピストン口の周壁部に該第１結合部を備え、該ピストンユニットは、該ピストン空間内に位置するピストンヘッドと、該ピストンヘッドの一端と連接し、かつ、該ピストン口から伸出するピストンロッドを有し、該ピストンヘッドは外力の作用を受けることができ、該ピストン空間において往復直線運動を行い、該ピストンロッドは差込口を有し、係止リングは、該ピストンロッドに嵌装され、かつ、外力の作用を受けることができ、該ピストンロッドに沿って往復摺動移動し、該ハンドルはハンドル本体と嵌着筒を有し、該ハンドル本体内部の軸方向に軸穴を有し、該ハンドル本体の片側に該軸穴と該ハンドル本体の一端を連通する枢支溝を有し、該エアポンプ本体のピストンロッドは該ハンドル本体の軸穴内に穿入し、該嵌着筒は該ピストンロッドに嵌着され、該嵌着筒は、該差込口と連通する嵌着穴と該第２接合部を有し、該ラッチは該エアポンプ本体のピストンロッド差込口と該嵌着筒の嵌着穴に差し込まれ、かつ、該ラッチの両端は該差込口と嵌着穴の外に突出し、該軸穴に配設され、該ハンドルは、該ラッチを軸心として、該収納位置から該使用位置までの間に往復回動可能に枢支されることを特徴とする。
【００１６】
また、該折りたたみ可能なハンドルを備えたエアポンプは、さらにラッチを含み、該エアポンプ本体は、シリンダー及びピストンユニットを有し、該シリンダーは、ピストン空間と、該ピストン空間と外界を連通する吐出口と、該ピストン空間と外界を連通するピストン口を有し、該ピストン口の周壁部に該第１結合部を備え、該ピストンユニットは、該ピストン空間内に位置するピストンヘッドと、該ピストンヘッドの一端と連接し、かつ、該ピストン口から伸出するピストンロッドを有し、該ピストンヘッドは外力の作用を受けることができ、該ピストン空間において往復直線運動を行い、該ピストンロッドは差込口と差込穴を有し、該係止リングは、該ピストンロッドに嵌装され、かつ、外力の作用を受けることができ、該ピストンロッドに沿って往復摺動移動し、該ハンドル内部は軸方向に軸穴を有し、該ハンドルの片側は該軸穴と該ハンドルの一端を連通する枢支溝を有し、該ピストンユニットのピストンロッドは、該ハンドルの軸穴内に穿入し、該ラッチは、該ピストンロッドの差込口に差し込まれ、かつ、該ラッチの両端は該差込口の外に突出し、該軸穴に配設され、該ハンドルは、該ラッチを軸心として、該収納位置から該使用位置までの間に往復回動可能に枢支されることを特徴とする。
【００１７】
さらに、該エアポンプ本体は、さらに結合ピンを有し、該係止リングの第１接合部は径方向に貫通するスルーホールであり、該ハンドルの第２接合部は径方向に貫通する貫通穴であり、該結合ピンは該ピストンロッドの差込穴、係止リングの第１接合部及び該ハンドルの第２接合部に穿入し、連結することが好ましい。
【発明の効果】
【００１８】
本発明は、上記の構成を有するものであり、収納時にハンドルを折りたたんで没入させることによって、全体の幅と長さを減少させることができるという効果を奏する。
【図面の簡単な説明】
【００１９】
【図１】本発明の実施例１の分解斜視図である。
【図２】図１における本発明の実施例１の収納状態を示す斜視図である。
【図３】図１における本発明の実施例１の使用状態を示す斜視図である。
【図４】図１における本発明の実施例１の一部断面図である。
【図５】図１における本発明の実施例１の別の角度からみた一部断面図である。
【図６】図１における本発明の実施例１の別の角度からみた斜視図である。
【図７】図１における本発明の実施例１の一部動作の模式図である。
【図８】図１における本発明の実施例１の別の角度からみた一部動作の模式図である。
【図９】図１における本発明の実施例１の立体動作の模式図である。
【図１０】図１における本発明の実施例１の一部動作の模式図である。
【図１１】図１における本発明の実施例１の別の角度からみた一部動作の模式図である。
【図１２】図１における本発明の実施例１の立体動作の模式図である。
【図１３】本発明の実施例２の分解斜視図である。
【図１４】図１３における本発明の実施例２の別の角度からみた斜視図である。
【図１５】図１３における本発明の実施例２の一部動作の模式図である。
【図１６】図１３における本発明の実施例２の別の角度からみた一部動作の模式図である。
【図１７】本発明の実施例３の分解斜視図である。
【図１８】図１７における本発明の実施例３の別の角度からみた斜視図である。
【図１９】図１７における本発明の実施例３の一部動作の模式図である。
【図２０】図１７における本発明の実施例３の別の角度からみた一部動作の模式図である。
【発明を実施するための形態】
【００２０】
以下、本発明の実施の形態を図面に基づいて詳述する。
【実施例１】
【００２１】
図１乃至図１２を参照されたい。本発明の実施例１による折りたたみ可能なハンドルを備えたエアポンプ１００は主に、エアポンプ本体１と、台座３０と、エアホース４０と、口金５０と、係止リング６０、ハンドル７０と、ラッチ８０と、キャップ９０とを含む。
【００２２】
図１乃至図６を参照されたい。該エアポンプ本体１は、シリンダー１０及びピストンユニット２０を有する。
【００２３】
該シリンダー１０は、ピストン空間１１と、該ピストン空間１１と外界を連通する吐出口１２と、該ピストン空間１１と外界を連通するピストン口１３とを有し、該ピストン口１３の周壁部に第１結合部１４が形成される。本実施例における第１結合部１４はめねじである。
【００２４】
該ピストンユニット２０は、ピストンヘッド（図中省略）及び該ピストンヘッドの一端と連結するピストンロッド２１を有し、該ピストンヘッドは該シリンダー１０のピストン空間１１内に位置し、外力の作用を受けることができ、該ピストン空間１１内で往復直線運動を行う。ピストン空間１１内の気体は、該吐出口１２から圧縮、吐出されるものであり、該ピストンロッド２１は径方向に貫通する差込口２１１を有する。
【００２５】
図１乃至図６を参照されたい。該台座３０は、該エアポンプ本体１のシリンダー１０の一端に枢接され、外力の作用を受けることができ、相対する該シリンダー１０を枢支するものである。本実施例において、該台座３０は、相対する該シリンダー１０を角度９０度以内に往復回動可能に枢支できるものである。
【００２６】
図１乃至図６を参照されたい。該エアホース４０は、一端が該エアポンプ本体１のシリンダー１０と吐出口１２を連結させ、該吐出口１２から吐出される気体は該エアホース４０から吐出されるものである。
【００２７】
図１乃至図６を参照されたい。該口金５０は、該エアホース４０の他端に連結し、外部物体（タイヤ又はその他気体充填が必要な物体）のノズルと接合するために用い、該口金５０によって該エアホース４０内の気体を該外部物体の中に吐出するものである。
【００２８】
図１乃至図６を参照されたい。該係止リング６０は、該エアポンプ本体１に嵌着され、該シリンダー１０の外のピストンロッド２１上に伸出し、かつ、該ピストンロッド２１の軸方向に沿って往復摺動移動することができる。該係止リング６０は、第２結合部６１及び第１接合部６２を有する。本実施例において、該第２結合部６１はおねじであり、該第１接合部６２はめねじである。該第２結合部６１は、該シリンダー１０の第１結合部１４に螺合する。
【００２９】
図１乃至図６を参照されたい。該ハンドル７０は、ハンドル本体７９を有し、該ハンドル本体７９は、内部に軸方向に貫通する両端の軸穴７１を有する。該ハンドル本体７９は、外側に該軸穴７１とその一端を連通する枢支溝７２を有する。該ハンドル本体７９の軸穴７１の中段内壁凸部には、係止凸縁部７３が延設されている。該ハンドル本体７９の中段外側面は、該枢支溝７２に連通する第２接合部７４を備える。本実施例において、該第２接合部７４はおねじである。該エアポンプ本体１のピストンユニット２０のピストンロッド２１は、該ハンドル７０の軸穴７１に穿入する。
【００３０】
図１乃至図６を参照されたい。該ラッチ８０は、該エアポンプ本体１のピストンロッド２１の差込口２１１内に挿入され、かつ、該ラッチ８０の両端は、該差込口２１１の外に突出し、該軸穴７１中に配設される。これによって、該ハンドル７０は外力の作用を受けることができ、該エアポンプ本体１のピストンロッド２１の軸方向に沿って伸長位置から短縮位置の間を往復運動し、かつ、該ハンドル７０は外力の作用を受けることができ、該ラッチ８０を軸心として、相対する該エアポンプ本体１のピストンロッド２１が収納位置から使用位置までの間に往復回動可能に枢支される。
【００３１】
図１乃至図６を参照されたい。該キャップ９０は、キャップ本体９１及び差込固定具９２を有する。該キャップ本体９１は、該ハンドル７０の該枢支溝７２に連通していないハンドル本体７９の一端を塞いで嵌め込まれ、かつ、該差込固定具９２によって該キャップ本体９１と該ハンドル７０は固定され、該キャップ本体９１が該ハンドル７０の軸穴７１の一端を封止する。
【００３２】
これをもって、上述に本発明が提供する、折りたたみ可能なハンドルを備えたエアポンプ１００の各構成部材及びその組立方法の好適な実施例１について説明した。続いて、その使用上の特徴を次のとおり説明する。
【００３３】
まず、本発明のエアポンプを収納するときは、該ハンドル７０を収納位置に枢支させることによって、該ハンドル７０の枢支溝７２により該ピストンロッド２１を動かすことができる。該ハンドル７０と該エアポンプ本体１のシリンダー１０及びピストンロッド２１を軸方向に同一方向を呈するように折りたたむことによって、全体の幅を大幅に減少させ、かつ、該ハンドル７０が収納位置にあるときは、さらに軸方向に沿って短縮位置まで摺動させることができる。該ピストンロッド２１が該軸穴７１内においてキャップ９０の方向に摺動移動可能であっても、全体の長さを大幅に減少させることができる。
【００３４】
また、本発明を使用するときは、まず、該ハンドル７０を短縮位置から伸長位置の方向に引き伸ばすことによって（図７乃至図９を参照）、該ハンドル７０の軸穴７１内に配設されるラッチ８０を、該ピストンロッド２１に牽引されるようにして該軸穴７１内で摺動移動させ、かつ、係止凸縁部７３に接合する。続いて、該ハンドル７０を収納位置から使用位置の間に枢支させることが可能となる（図１０乃至図１２を参照）。該枢支溝７２により該ピストンロッド２１が枢支される空間が提供され、該ハンドル７０を使用位置に配置するときに、該エアポンプ本体１のシリンダー１０及び該ピストンロッド２１の間が垂直を呈することによって、使用者に対してより利便性の高い把持方法や付勢手段を提供することができる。
【００３５】
また、該係止リング６０を旋動させることによって、該第２結合部６１と該シリンダー１０の第１結合部１４を分離させ、かつ、該係止リング６０は該ピストンロッド２１に沿って摺動し、該係止リング６０の第１接合部６２と使用位置にあるハンドル７０の第２接合部７４を連接、結合させる（図１０乃至図１２を参照）。該係止リング６０と該ハンドル７０を螺合することによって、該ハンドル７０が使用位置から収納位置までの間に自在に枢支されるのを防止することができる。
【００３６】
該ハンドル７０を折りたたむときに、まず、該係止リング６０の第１接合部６２と該ハンドル７０の第２接合部７４を旋回、分離させる。次に、該係止リング６０の第２結合部６１と該シリンダー１０の第１結合部１４を螺合することによって、該ハンドル７０を垂直を呈する使用位置から軸方向を呈する折りたたみ収納位置の間に枢支させることができる。さらに、収納位置にあるハンドル７０は、伸長位置から短縮位置まで引っ張ることによって、収納時における全体の幅及び長さを減少させる。
【実施例２】
【００３７】
図１３乃至図１６を参照されたい。本発明の実施例２による折りたたみ可能なハンドルを備えたエアポンプ２００は、前述の実施例１との一致点が、主にエアポンプ本体１と、台座３０と、エアホース４０と、口金５０と、係止リング６０と、ハンドル７０と、ラッチ８０と、キャップ９０を含むことである。該エアポンプ本体は、同様にシリンダー１０及びピストンユニット２０を有する。主な相違点は、次のとおりである。
【００３８】
実施例２において、該ハンドル７０は、該ハンドル本体７９のほかに嵌着筒７８を有する。該嵌着筒７８は、該ピストンロッド２１の自由端に嵌着され、かつ、該嵌着筒７８は径方向に貫通する嵌着穴７８１を有する。該ラッチ８０が該嵌着筒７８の嵌着穴７８１と該ピストンロッド２１の差込口２１１に同時に挿入されることによって、該嵌着筒７８と該ピストンロッド２１を固結させ、かつ、該嵌着筒７８は第２接合部７８２を有する。本実施例における該第２接合部７８２は、おねじである。
【００３９】
このように、該ハンドル７０が使用位置にあるときは、該係止リング６０の第１接合部６２（めねじ）は、該嵌着筒７８の第２接合部７８２と螺合することができる。
【００４０】
該嵌着筒７８によって、該エアポンプ本体１のピストンロッド２１が該キャップ９０に直接接触又は衝突することを防止し、破損の確率を低減することができる。
【実施例３】
【００４１】
図１７乃至図２０を参照されたい。本発明の実施例３による折りたたみ可能なハンドルを備えたエアポンプ３００は、前述の実施例１、２との一致点が、主にエアポンプ本体１と、台座３０と、エアホース４０と、口金５０と、係止リング６０と、ハンドル７０と、ラッチ８０と、キャップ９０を含むことである。該エアポンプ本体１は、同様にシリンダー１０及びピストンユニット２０を有する。主な相違点は、次のとおりである。
【００４２】
実施例３において、該エアポンプ本体１のピストンユニット２０は、結合ピン２３を有する。
【００４３】
該ピストンユニット２０のピストンロッド２１は、径方向に貫通する差込穴２１２を有する。
【００４４】
該係止リング６０の第１接合部６２は、径方向に貫通するスルーホールである。
【００４５】
該ハンドル７０の第２接合部７４は、径方向に貫通する該ハンドル本体７９の貫通穴である。
【００４６】
該ハンドル７０が使用位置にあるときは、該係止リング６０の第１接合部６２は、該ハンドル７０の第２接合部７４及び該ピストンユニットの差込穴２１２と相互に連通することによって、該結合ピン２３が該ハンドル７０の第２接合部７４、係止リング６０の第１接合部６２及び該ピストンユニット２０の差込穴２１２に挿入され、該ハンドル７０の使用位置の状態が固定される。
【符号の説明】
【００４７】
＜実施例１＞
１００：折りたたみ可能なハンドルを備えたエアポンプ、１：エアポンプ本体、１０：シリンダー、１１：ピストン空間、１２：吐出口、１３：ピストン口、１４：第１結合部、２０：ピストンユニット、２１：ピストンロッド、２１１：差込口、３０：台座、４０：エアホース、５０：口金、６０：係止リング、６１：第２結合部、６２：第１接合部、７０：ハンドル、７１：軸穴、７２：枢支溝、７３：係止凸縁部、７４：第２接合部、７９：ハンドル本体、８０：ラッチ、９０：キャップ、９１：キャップ本体、９２：差込固定具。
＜実施例２＞
２００：折りたたみ可能なハンドルを備えたエアポンプ、１：エアポンプ本体、１０：シリンダー、２０：ピストンユニット、２１：ピストンロッド、２１１：差込口、３０：台座、４０：エアホース、５０：口金、６０：係止リング、６２：第１接合部、７０：ハンドル、７８：嵌着筒、７８１：嵌着穴、７８２：第２接合部、８０：ラッチ、９０：キャップ。
＜実施例３＞
３００：折りたたみ可能なハンドルを備えたエアポンプ、１：エアポンプ本体、１０：シリンダー、２０：ピストンユニット、２１：ピストンロッド、２１２：差込穴、２３：結合ピン、３０：台座、４０：エアホース、５０：口金、６０：係止リング、６２：第１接合部、７０：ハンドル、７４：第２接合部、７９：ハンドル本体、８０：ラッチ、９０：キャップ。
【図１】
2014080867.tif 000003
【図２】
2014080867.tif 000004
【図３】
2014080867.tif 000005
【図４】
2014080867.tif 000006
【図５】
2014080867.tif 000007
【図６】
2014080867.tif 000008
【図７】
2014080867.tif 000009
【図８】
2014080867.tif 000010
【図９】
2014080867.tif 000011
【図１０】
2014080867.tif 000012
【図１１】
2014080867.tif 000013
【図１２】
2014080867.tif 000014
【図１３】
2014080867.tif 000015
【図１４】
2014080867.tif 000016
【図１５】
2014080867.tif 000017
【図１６】
2014080867.tif 000018
【図１７】
2014080867.tif 000019
【図１８】
2014080867.tif 000020
【図１９】
2014080867.tif 000021
【図２０】
2014080867.tif 000022